(57)【要約】【目的】山腹、山麓、崖地等は、多量の降雨、降雪時において、特に、地かくが軟弱な危険地域は、流水圧が強大となる場合が多く、土砂くずれが多発する。本願発明は、可及的速やかに流水を排徐し、天災に似た被害から脱せんとする事を目的とする。【構成】管体が吸水管体からなり、該管体の流水路内側周面部位に半浸透性流水部と半滑面流水部位を前記吸水管体の内側周にほぼ対称に形成した事を特徴とする土砂くずれ防止管体の構造。【選択図】  図１
2004176521.tif 000002
【特許請求の範囲】
【請求項１】
管体が吸水管体からなり、該管体の流水路内側周面部位に半浸透性流水部位と半滑面流水部位をほぼ対称に形成した事を特徴とする土砂くずれ防止管体の構造。
【請求項２】
管体がセメントを主材にしたコンクリート管体からなる事を特徴とする請求項１記載の土砂くずれ防止管体の構造。
【請求項３】
半滑面流水部位が低温加熱により焼結材状に形成されてなる事を特徴とする請求項１及び２記載の土砂くずれ防止管体の構造。
【請求項４】
半滑面流水部位がコールタール系材により塗着材状に形成されてなる事を特徴とする請求項１及び２記載の土砂くずれ防止管体の構造。
【請求項５】
半滑面流水部位が合成樹脂系材により形成されてなり、該体が管体内側周面に固設材状に付設されてなる事を特徴とする請求項１及び２記載の土砂くずれ防止管体の構造。
【請求項６】
半滑面流水部位が金属系材からなり、該体が管体内側周面に固着材状に付設されてなる事を特徴とする請求項１及び２記載の土砂くずれ防止管体の構造。
【発明の詳細な説明】
【０００１】
【産業上の利用分野】
本願発明に係る雨水、湧水等は、周知の如く、高きより低きに流動する。更らには、外気圧により、流速を早やめて流水する事は、当然の自然現象である。
その流水路面が滑面を呈しておれば、流水の滑面が排出流水が容易に流れやすくすると共に過度の降雨、降雪、湧水噴出等に際しては流水土壌に湿潤して浸透量が増大し、砂や岩塊間は、通水量が多量となる。特に、崖地、山腹、急斜面等は、流水圧が強大となる場合が多い。これ等の危険地域においては、従来より、各種な砂防工事手段が行われ、極部崩落が防止されて来た。
本願発明では、その改善策として、土砂くずれ防止管体の構造技術を利用する事により、より大きな期待をもたらすものである。
【０００２】
【従来の技術】
過剰雨水其の他の有害流水の排除には、角筒形、円筒形、半角筒形、側溝等のコンクリート管体等が多量に用いられているが、新技術で特記すべき改善策の開示は見当らない。
本願発明は、従来の技術と異り、複数体の土砂くずれ防止管体を土砂くずれの危険地域の要部に配設し、流水を誘導する流水誘導管体と管体内に流入した流水を迅速に排除し、排水速度を早める事が出来得る一体の管体内に構成された土砂くずれ防止管体を提供するものである。
【０００３】
【発明が解決しようとする課題】
本願発明では、地かくを崩落せしめ得る過剰流水を管体内部に集束し集束流水を流動せしめ得るか、更らには、この集束流水を可及的速やかに管体外に排出せしめ得るか、土砂くずれ防止管体を如何に造形するかが最大の課題である。
【０００４】
【課題を解決するための手段】
課題を解決するための第１の手段として、図２に示す如く、吸水管体の内側周面上部部位が流水誘導体を形成し、下部部位は、半滑面流水部位に温度摂氏１１０度〜１２０度の低温加熱により、焼結材状に形成されて流水の滑面とする。
【０００５】
第２の手段として、図３に示す如く、吸水管体の内側周面の上部部位が流水誘導体を形成し、下部部位がコールタール系材により、塗着材状に形成されて流水の滑面とする。
【０００６】
第３の手段として、図４に示す如く、吸水管体の上部部位が流水誘導体を形成し、下部部位が合成樹脂系材により形成された該体が管体内側面に固着材状に付設されて流水の滑面とする。
【０００７】
第４の手段として、図５に示す如く、吸水管体の上部部位が流水誘導体を形成し、下部部位が金属系材により、半円筒形に形成された該体が前記の管体内側周面に固着材状に付設されて流水の滑面とする。
なを、前記の管体内側周面に付設された金属系材を２００度〜３００度の加熱焼鈍処理を行う事により、流水の滑面がより増幅する。前記金属系材は、鉄材又は、若干の鉄成分を含有するステンレス系材、アルミニユーム系材からなる材料が使用される。
【０００８】
上記の如き手段により、何れも、前記吸水管体の上部部位が半流水誘導体を形成し、下部部位が半滑面流水部位を形成した土砂くずれ防止管体が構造される事により、前記課題を解決するものである。
【０００９】
【作用及び効果】
斯る手段を構成する事により、吸水管体の一体のみで半流水誘導が行われると共に半滑面流水部位の形成により、前記吸水管体を通過する流水の排出速度を早める事が可能となり、該管体内の流水の流圧が減圧され、水圧と外気圧による土砂くずれを防止する事が出来る。勿論、前記吸水管体が地かくの適所に配設される場合、該管体内に形成されている半滑面流水部位を地かく向けに近接する方向に配設される事が肝要である。
【００１０】
【実施例】
次に、本願の実施例に就き詳述する。
図１は、実施例の横中央切断面図である。
図２は、図１のＡ−Ａ’線の縦切断面図である。本例を含め、以下の各実施例の横中央切断面図は、図示を省略する。
図２において、１は、吸水管体、該吸水管体１に半滑面流水部位２ａが摂氏１１０度〜１２０度程度の低温加熱により、焼結材状に形成されている。この加熱により、該部位２ａが流水の滑面を呈し、排出流水の流動が良好となる。
【００１１】
図３においては、吸水管体１の低部部位にコールタール系材により、塗着材状に半滑面流水部位２ｂが形成され、該部位２ｂの管体内側周面が滑面を呈し、流水の流動が良好となる。
【００１２】
図４においては、吸水管体１の低部部位に半滑面流水部位２ｃが形成されている。半滑面流水部位２ｃが合成樹脂系材により形成されている半円筒状の該体が前記吸水管体１の内側周面に固着材状に付設され、該部位２ｃ管体内側周面が滑面を呈し、流水の流動が良好となる。
【００１３】
図５においては、吸水管体１の低部部位に半滑面流水部位２ｄが形成されている。半滑面流水部位２ｄが磁性を有する金属系材で形成された該体が吸水管体１の内側周面に固着材状に付設され、前記の半滑面流水部位２ｄの管体内側周面が流水の滑面を呈し、排出流水の流動が良好となる。前記金属系材を摂氏２００度〜３００度の加熱焼鈍する事により、流水の滑面がより増幅する。前記金属系材は、鉄材或は、若干の鉄分を含有するステンレス系材、アルミニユーム系材からなる利用素材である。金属系材の加熱焼鈍効果により、流水の滑面流水がより迅速化するものである。
【００１４】
前記実施例における２ａ、２ｂ、２ｃ、及び２ｄの形態は、半滑面流水部位と前記流水誘導体を形成した内側周面部位とほぼ対称した面積を有する形態に形成される事が望ましく且つ、好適でもある。
前記吸水管体１の管経は１００ｍｍ〜５００ｍｍ、長さは、１ｍ〜１０ｍ、管厚は、吸水管体の体長の長・短、該管体の配設場所を考慮し積算される。
前記実施例の吸水管体１は、中空円筒状に形成されているが中空角筒形状に形成されてもよい。
【００１５】
図６は、傾斜面を有する地かく４中に吸水管体１の複数体が地かく崩落の危険地域の要部に並列状に埋設された状態の概要図である。
概要図中３が平地４が急傾斜面を有する地かく、吸水管体１の複数体が並列状に地かく中の複数個所の適地に埋設配置されている。５は、排出水用の側溝を示急斜面から発生する流水を前記の吸水管体１内に集束し、この集束された流水を側溝５に導水し、流水を排出する。
【００１６】
図７は、急斜面を有する地かく中に吸水管体１の複数体が地かくの危険地域の要部に等間隔に埋設配置された状態を示した概要図である。
更らに、多少の傾斜面を有する地かく３中に前記吸水管体１の複数体により、集束された流水を側溝５に導水し、効率よく流水を排出せんとするものである。且つ、多少の傾斜面を有する地かく中に配設された前記吸水管体１の複数体により集束された流水も同時に側溝５に導水し、流水の排出が行われる。
【図面の簡単な説明】
【図１】実施例における吸水管体の横中央切断面図である。
【図２】実施例における図１の縦切断面図である。
【図３】他の実施例における図２に近似した縦切断面図である。
【図４】他の実施例における図２に近似した縦切断面図である。
【図５】他の実施例における図２に近似した縦切断面図である。
【図６】実施例の具体を地かく中に埋設配置した説明のための概要図である。
【図７】実施例の具体を地かく中に埋設配置した他の手段を説明するための概要図である。
【符号の説明】
１    吸水管体
２ａ  半滑面流水部位
２ｂ  半滑面流水部位
２ｃ  半滑面流水部位
２ｄ  半滑面流水部位
３    平地（多少の傾斜面を有する平地を含む）
４    急傾斜面を有する地かく
５    側溝
【図１】
2004176521.tif 000003
【図２】
2004176521.tif 000004
【図３】
2004176521.tif 000005
【図４】
2004176521.tif 000006
【図５】
2004176521.tif 000007
【図６】
2004176521.tif 000008
【図７】
2004176521.tif 000009